(57)【特許請求の範囲】
【請求項１】
コネクタハウジング内には端子金具が挿入されるキャビティが形成されるとともに、前記端子金具に抜け止め状に係止するランスが端子金具の挿入方向に沿った片持ち状の撓み変形可能に設けられたコネクタにおいて、
前記端子金具は、本体部の上面に被係止部が突出形成されているとともに、
前記キャビティの形成位置ごとに端子収容部が設けられて、この端子収容部は、前端側が前記端子金具の本体部を収容する筒状に形成されている一方、その後方は、前記被係止部を挿通可能な開口部を上面に設けた溝状に形成され、
前記ランスは前記端子金具の前記被係止部に係止可能であって、前記端子収容部の上方に積み重なるように、かつ前記端子収容部のほぼ全幅にわたる幅を持って設けられており、
前記コネクタハウジングにおける前記キャビティの前壁を構成する部分には、別体に形成された前壁部材が後付けにより装着され、この前壁部材に、前記ランスの幅方向の両側で前記キャビティの側壁を構成する側壁部が設けられていることを特徴とするコネクタ。
【請求項２】
前記前壁部材には、前記ランスの撓み空間に突入してランスの撓み変形を規制するリテーナ部が設けられていることを特徴とする請求項１記載のコネクタ。
【請求項３】
前記前壁部材は、前記リテーナ部が前記撓み空間の手前に退避して前記ランスの撓み変形を許容する仮係止位置と、前記リテーナ部が前記撓み空間に突入する本係止位置とでそれぞれ保持可能となっていることを特徴とする請求項２記載のコネクタ。
【請求項４】
前記ランスにおける前記撓み空間と対向した側の面の幅方向の中央部には、係止解除用の突起が突設されるとともに、前記リテーナ部が、前記ランスにおける前記突起を逃げた両側縁に当接可能な一対の規制突条を備えた形状となっており、この両規制突条の間に、前記突起に係合する解除治具を挿通可能な挿通溝が構成されていることを特徴とする請求項３記載のコネクタ。
【請求項５】
前記ランスにおける前記キャビティと対向した側の面の両側縁には、前記端子金具の挿通を許容する間隔を開けて一対のリブが形成されていることを特徴とする請求項１ないし請求項４のいずれかに記載のコネクタ。
【発明の詳細な説明】
【０００１】
【発明の属する技術分野】
本発明は、キャビティ内に挿入された端子金具を樹脂ランスにより抜け止めする形式のコネクタに関する。
【０００２】
【従来の技術】
この種のコネクタの一般的な構造は、コネクタハウジング内に端子金具が挿入されるキャビティが形成される一方、キャビティの例えば底面に、ランスが端子金具の挿入方向に沿った片持ち状の撓み変形可能に設けられ、端子金具がキャビティ内に後方から挿入されると、ランスが基端側を中心に撓み変形しつつ押し込まれ、正規位置まで挿入されると、ランスが復元変形してその先端側が端子金具に対して抜け止め状態に係止するようになっている。
なお、このようなコネクタは、特開２０００−３０６６２８等に開示されている。
【０００３】
【発明が解決しようとする課題】
ところで上記したコネクタハウジングは、合成樹脂を素材として金型内で成形されるが、ランスの形成部分について見ると、ランスは上記のように撓み変形可能に設けられる必要があるために、キャビティの左右の側壁との間に隙間を設けねばならず、この隙間は通常、金型におけるコネクタハウジングの端面を形成すべく基部面に立てられた成形ピンで形成される。
ここで成形ピンは、強度確保のために一定の肉厚が必要とされ、必然的にその肉厚に対応した隙間がランスの両側に占められることになり、言い換えると、ランスの幅はキャビティの全幅から両側の隙間の部分を除いた寸法に限られる。
【０００４】
一方近年では、端子金具は小型化される傾向にあり、それに伴いキャビティの幅も狭くなっている。しかしながら、狭いキャビティについても、上記のように最低限の隙間寸法は確保しなければならないため、その分ランスの幅を狭く成形せざるを得ない。そのため、如何に相手の端子金具が小型であるとは言えども、係止強度が不足し勝ちとなることは否めなかった。
本発明は上記のような事情に基づいて完成されたものであって、その目的は、ランスを幅広に成形できるようにして端子係止力を高めるところにある。
【０００５】
【課題を解決するための手段】
上記の目的を達成するための手段として、請求項１の発明は、コネクタハウジング内には端子金具が挿入されるキャビティが形成されるとともに、前記端子金具に抜け止め状に係止するランスが端子金具の挿入方向に沿った片持ち状の撓み変形可能に設けられたコネクタにおいて、前記端子金具は、本体部の上面に被係止部が突出形成されているとともに、前記キャビティの形成位置ごとに端子収容部が設けられて、この端子収容部は、前端側が前記端子金具の本体部を収容する筒状に形成されている一方、その後方は、前記被係止部を挿通可能な開口部を上面に設けた溝状に形成され、前記ランスは前記端子金具の前記被係止部に係止可能であって、前記端子収容部の上方に積み重なるように、かつ前記端子収容部のほぼ全幅にわたる幅を持って設けられており、前記コネクタハウジングにおける前記キャビティの前壁を構成する部分には、別体に形成された前壁部材が後付けにより装着され、この前壁部材に、前記ランスの幅方向の両側で前記キャビティの側壁を構成する側壁部が設けられているところに特徴を有する。
請求項２の発明は、請求項１に記載のものにおいて、前記前壁部材には、前記ランスの撓み空間に突入してランスの撓み変形を規制するリテーナ部が設けられているところに特徴を有する。
【０００６】
請求項３の発明は、請求項２に記載のものにおいて、前記前壁部材は、前記リテーナ部が前記撓み空間の手前に退避して前記ランスの撓み変形を許容する仮係止位置と、前記リテーナ部が前記撓み空間に突入する本係止位置とでそれぞれ保持可能となっているところに特徴を有する。
請求項４の発明は、請求項３に記載のものにおいて、前記ランスにおける前記撓み空間と対向した側の面の幅方向の中央部には、係止解除用の突起が突設されるとともに、前記リテーナ部が、前記ランスにおける前記突起を逃げた両側縁に当接可能な一対の規制突条を備えた形状となっており、この両規制突条の間に、前記突起に係合する解除治具を挿通可能な挿通溝が構成されているところに特徴を有する。
請求項５の発明は、請求項１ないし請求項４に記載のものにおいて、前記ランスにおける前記キャビティと対向した側の面の両側縁には、前記端子金具の挿通を許容する間隔を開けて一対のリブが形成されているところに特徴を有する。
【０００７】
【発明の作用及び効果】
＜請求項１の発明＞
成形時には、後で側壁部が挿入されるスペースを両側に設けた状態でランスが成形される。その後、前壁部材が装着されることに伴って、スペースに側壁部が進入し、キャビティが形成される。これによりランスは、キャビティのほぼ全幅にわたる幅寸法を保有することが可能になる。
このため例えば、端子金具の被係止部における幅方向の両端の角部分にも係止することが可能となり、ランスによる端子係止力が高められる。
また、所定の端子係止力を得るに当たってランスの肉厚を薄くすることができ、それだけ撓み空間も狭く抑えることができて、ひいてはコネクタの小型化を図ることができる。
【０００８】
＜請求項２の発明＞
端子金具がキャビティ内に挿入されてランスにより係止されたのち、前壁部材の装着に伴いリテーナ部がランスの撓み空間に突入してランスの撓み変形を規制し、端子金具は抜け止め状に二重係止される。
＜請求項３の発明＞
前壁部材が仮係止位置に保持された状態で端子金具がキャビティに挿入され、そののち前壁部材を本係止位置に押し込むことで、端子金具が二重係止される。前壁部材をコネクタハウジングに仮組みでき、取り扱いに便利となる。
【０００９】
＜請求項４の発明＞
前壁部材が本係止位置に保持された状態では、リテーナ部の一対の規制突条がランスの両側縁に当たってその撓み変形を規制することで、端子金具を二重係止する。前壁部材が仮係止位置に戻された状態で両規制突条の間の挿通溝に解除治具を通し、突起に引っ掛けてランスを強制的に撓み変形させることで、端子金具に対する係止が解除される。
＜請求項５の発明＞
端子金具の挿抜を許容しつつランスの補強を行うことができる。
【００１０】
【発明の実施の形態】
以下、本発明の一実施形態を図１ないし図１６に基づいて説明する。
この実施形態では雄側の防水コネクタを例示しており、大まかには図１及び図２に示すように、コネクタハウジング２０（以下、単にハウジングという）と、これに収容される雄側端子金具１０とから構成され、ハウジング２０はさらに、ハウジング本体２１と前壁部材４０の２ピースから構成されている。
【００１１】
雄側端子金具１０は、導電性に優れた金属板をプレス成形して形成されており、図１に示すように、角筒形をなす本体部１１の前面に、先窄まりの傾斜部１２を介してタブ１３が突設され、後端のバレル１４をかしめることで、防水ゴム栓Ｒともども電線Ｗの端末に固着されるようになっている。本体部１１の上面における先端寄りの位置には、背面から見て門形をなす被係止部１５が全幅にわたるようにして突出形成されている（図４参照）。被係止部１５の前縁からは、幅を狭めつつ傾斜部１２の前縁付近まで延びたのち下向きに屈曲された突当部１６が形成されている。
本体部１１の上面における後端側の両側縁にはスタビライザ１７が突設され、下面の後端位置には、逆挿入防止用の突部１８が形成されている。
【００１２】
ハウジング２０は、上記したようにハウジング本体２１と、前壁部材４０との２ピースから構成されている。
ハウジング本体２１は合成樹脂製であって、タワー部２２と、このタワー部２２の前端側の外周からその前方を覆うフード部２３とを備えている。タワー部２２内には、図１０にも示すように、前後方向を向いた４個のキャビティ２５が格子状に配列されて形成され、上記した雄側端子金具１０が後方（図１の右側）から挿入可能とされている。また、タワー部２２におけるフード部２３内に突出した前端側では、キャビティ２５の形成位置ごとに対応して４個の端子収容部２６に分割されている。
【００１３】
各端子収容部２６では、キャビティ２５の前面から両側面の下部側を形成すべく溝状の収容壁２７が形成され、この収容壁２７内に、雄側端子金具１０がその本体部１１を横幅方向に緊密に嵌めて収容可能となっており（図１３参照）、この収容壁２７の前面には、雄側端子金具１０のタブ１３をフード部２３内に向けて突出可能とした端子挿通口２８が開口されている。
なお、上段の両端子収容部２６では、その収容壁２７の底部における幅方向の中央部に、後記するランス３０の撓み空間３１を構成すべく逃がし溝２７Ａが前面に開口して形成されている。
【００１４】
各キャビティ２５の天井壁には、雄側端子金具１０に抜け止め状に一次係止するランス３０が設けられている。このランス３０は詳細には、図３に示すように、上記した収容壁２７の幅とほぼ等しい幅寸法を持ち、言い換えると、図１３に示すように、雄側端子金具１０の被係止部１５よりも幅広に形成されており、図１に示すように、端子収容部２６の根元付近から先端側をやや下げた斜め姿勢で前方を向いた片持ち状に形成され、先端側がその上方の撓み空間３１に向けて撓み変形可能となっている。このランス３０の先端面が、図４及び図１３に示すように、雄側端子金具１０の被係止部１５の全幅を幅内に収めて係止可能となっている。
【００１５】
このランス３０の上面（撓み空間３１と対向した面）には、その幅方向の中央部において、先端縁から後縁付近に延びた解除突条３３が形成され、この解除突条３３の先端面が、図５にも示すように、ランス３０の先端面からオーバーハング状に突出している。この解除突条３３の先端面には、後記するように係止解除操作用の治具Ｊ（図１６参照）が引っ掛けられ、治具Ｊの操作によりランス３０を撓み空間３１に向けて強制的に撓み変形させることで、雄側端子金具１０の被係止部１５に対する係止を解除し得るようになっている。
【００１６】
一方、ランス３０の下面には、その両側縁に沿って所定幅の補強リブ３５が立てられている。この補強リブ３５は、後端側に向けて次第に高さが大きくなるように形成され、自然状態ではその下縁がほぼ水平姿勢を取るようになっている。両補強リブ３５の間には、雄側端子金具１０の本体部１１が挿通可能な間隙３６が設けられている。
なお、各キャビティ２５における底壁には、長さ方向の中央部において、雄側端子金具１０の逆挿入防止用の突部１８を摺動自由に嵌合する摺動溝３７が、前後方向を向いて形成されている。
【００１７】
前壁部材４０は同じく合成樹脂材により形成され、ハウジング本体２１のタワー部２２の前端部に嵌まるキャップ状に形成されている。詳細には、図６ないし図８にも示すように、その前壁４１には、タワー部２２における分割された端子収容部２６の先端がそれぞれに嵌まる窓孔４２が形成され、各窓孔４２の上部側には、雄側端子金具１０における突当部１６を設けた部分を収容可能な収容部４３が形成されている。
【００１８】
前壁４１の裏面には、その左右の側縁から底縁にわたるようにして、ほぼＵ字状をなす厚肉の側壁部４５が形成されているとともに、幅方向の中央部には薄肉の隔壁部４６が形成されている。なお、側壁部４５の後端側の外面には、張り出し部４５Ａが形成されている。前壁部材４０がタワー部２２の先端に装着された場合、図１０に示すように、Ｕ字状の側壁部４５（張り出し部４５Ａを含む）は、タワー部２２の左右の側面から底面にわたる領域において、フード部２３の内周面との間に緊密に挿入され、また隔壁部４６は、上下に２個並んだ左右の端子収容部２６の組の間に緊密に挿入されるようになっている。
言い換えると、各端子収容部２６におけるキャビティ２５の側壁の上部側は、側壁部４５と隔壁部４６とによって形成され、特に各キャビティ２５のランス３０の左右の側面は、側壁部４５と隔壁部４６とに近接した状態とされる。
【００１９】
前壁部材４０に設けられた４個の収容部４３の上面には、二重係止用のリテーナ部４８が設けられている。このリテーナ部４８は、ランス３０における解除突条３３の両側に進入可能な左右一対の規制突条４９から構成され、規制突条４９は収容部４３の後端よりもさらに後方に突出している。また、両規制突条４９の間には、係止解除操作用の治具Ｊが前方から挿通可能とされる治具挿通溝５０が形成されている。
【００２０】
前壁部材４０は、タワー部２２の先端に対して、図９に示す仮係止位置と、図１４に示す本係止位置とでそれぞれ保持可能とされている。なお、両位置での保持構造についての説明は省略する。
仮係止位置では、リテーナ部４８がランス３０の撓み空間３１の手前に留まっていて、ランス３０の撓み変形が許容された状態にある。一方、本係止位置では、その前壁４１がタワー部２２の前面と面一となり、それとともにリテーナ部４８が撓み空間３１に進入して両規制突条４９がランス３０の解除突条３３の両側に突入するようになっている。
なお、前壁部材４０の底部には、前面に開口して奥側で鈎形に曲がった治具挿入溝５２が形成され、前壁部材４０を本係止位置から仮係止位置に戻すべく治具（図示せず）を挿入することに使用される。
【００２１】
続いて、本実施形態の作用を説明する。まず、図９に示すように、タワー部２２の先端に前壁部材４０が仮係止位置に装着される。この仮係止位置では、リテーナ部４８がランス３０の撓み空間３１の手前に退避して、ランス３０の撓み空間３１側への撓み変形を許容した状態にある。また、図１０に示すように、前壁部材４０の側壁部４５と隔壁部４６とが各キャビティ２５の側壁を形成し、ランス３０が側壁部４５と隔壁部４６とでほぼ挟まれた状態とされる。
【００２２】
この状態から、図１の矢線に示すように、雄側端子金具１０が対応するキャビティ２５内に後方から挿入される。雄側端子金具１０はスタビライザ１７を天井側に摺接させ、また突部１８を底面の摺動溝３７に摺動させつつ押し込まれる。途中から、雄側端子金具１０における突当部１６から被係止部１５にわたる部分が、ランス３０の下面の補強リブ３５の間に当たり、図１１の下段に示すように、ランス３０を撓み空間３１に向けて撓み変形させつつ押し込まれる。
なお、雄側端子金具１０が誤って上下反転した姿勢で挿入されると、図１２の下段に示すように、突部１８がキャビティ２５の天井面に当たって所定以上の押し込みができず、これによって雄側端子金具１０が上下反対姿勢で誤挿入されたことが検知される。
【００２３】
雄側端子金具１０が、図１１の上段に示すように、タブ１３が端子挿通口２８から突出して傾斜部１２が端子挿通口２８の裏側の口縁に当たる正規位置まで押し込まれると、被係止部１５がランス３０の先端を通過することから、ランス３０が復元変形して、その先端面に被係止部１５が一次係止される。
ここで、ランス３０はキャビティ２５のほぼ全幅にわたる幅を持って形成されているから、図１３に示すように、ランス３０の先端面が被係止部１５の全幅を幅内に収めて係止し、特に被係止部１５の左右の角部１５Ａに係止することで、大きな係止力が得られる。
【００２４】
すべての雄側端子金具１０の挿入が完了したら、仮係止位置にある前壁部材４０を、適当な治具を用いて、図１４に示す本係止位置に押し込む。前壁部材４０はその前壁４１がタワー部２２と面一となって、雄側端子金具１０の突当部１６が収容部４３に収められる。
それとともに、リテーナ部４８を構成する一対の規制突条４９が、撓み空間３１に突入しつつランス３０の解除突条３３の両側に進入する。これにより、ランス３０が撓み空間３１側に撓み変形することが規制され、もって雄側端子金具１０が間接的に二重係止される。
【００２５】
なお、雄側端子金具１０をキャビティ２５内に挿入したとき、図１５の下段に示すように、正規位置まで挿入されない、すなわち半挿入状態に留め置かれる場合があり得る。そのときは、ランス３０が未だ撓み空間３１側に撓み変形しているため、前壁部材４０が本係止位置に向けて押し込まれる際に、規制突条４９の先端がランス３０の先端面に突き当たってそれ以上の押し込みができず、これを以て半挿入状態の雄側端子金具１０があったことが検知される。そうしたら、雄側端子金具１０を正規位置まで押し込み、改めて前壁部材４０を本係止位置に押し込めばよい。
【００２６】
メンテナンス等により雄側端子金具１０をハウジング２０から外す場合は、以下のようにして行う。まず、先端が鈎形に曲がった治具を準備し、図１４に示すように、本係止位置に押し込まれた前壁部材４０の治具挿入溝５２に突っ込んで曲がった奥端に引っ掛け、治具を手前に引っ張ることで仮係止位置に戻す。これにより、リテーナ部４８が撓み空間３１の手前に退避する。一方、ランス３０の解除突条３３は、リテーナ部４８を構成する両規制突条４９間の治具挿通溝５０を通して前方に開放された状態にある。
そこで、図１６の下段に示すように、前壁部材４０の治具挿通溝５０に係止解除用の治具Ｊを挿通して、ランス３０の解除突条３３に引っ掛け、治具Ｊを操作してランス３０を撓み空間３１側に強制的に撓み変形させる。これにより、ランス３０の被係止部１５に対する係止が解除されるから、電線Ｗを引っ張ることで雄側端子金具１０をキャビティ２５から後方に引き抜くことができる。
【００２７】
以上説明したように本実施形態によれば、特にランス３０が設けられる部分のキャビティ２５の側壁を、別体として形成されて後から装着される前壁部材４０により賄うようにしたから、ランス３０はキャビティ２５のほぼ全幅にわたる幅寸法を持って形成することができる。そのため、ランス３０が被係止部１５の全幅を幅内に収めて係止し、特に被係止部１５の左右の角部１５Ａに係止することで、実質的に大きな係止力が得られる。また、ランス３０の横揺れも防止され、これも係止力を高めることに寄与し得る。このように係止力が高められることによって、ランス３０自体については薄肉に形成することができ、それだけ撓み空間３１も狭く抑えることができて、ひいてはハウジング２０の小型化を図ることができる。
【００２８】
ランス３０の撓み変形を規制するリテーナ機能、また一次係止を解除すべくランス３０を強制的に撓み変形させる機能を付与する部分の構造について、ランス３０の撓み空間３１と対向した側の面における幅方向の中央部に解除突条３３を設ける一方、前壁部材４０側のリテーナ部４８として解除突条３３の両側に進入可能な規制突条４９を設け、両規制突条４９の間に解除突条３３に引っ掛けるべく治具Ｊを挿通できる治具挿通溝５０を設けた構造としたから、両機能をコンパクトな構造で達成することができる。
また、ランス３０におけるキャビティ２５と対向した側の面の両側縁のみに補強リブ３５を設けたことで、雄側端子金具１０の挿抜を許容しつつランス３０の補強を行うことができる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、雌側端子金具を収容する雌側のコネクタにも適用することができる。
（２）また非防水型のコネクタにも適用が可能である。
【図面の簡単な説明】
【図１】本発明の一実施形態に係るコネクタの分解縦断面図
【図２】ハウジングの分解斜視図
【図３】ハウジング本体の正面図
【図４】端子収容部付近を示す斜視図
【図５】ランスの斜視図
【図６】前壁部材の正面図
【図７】その平面図
【図８】その背面図
【図９】前壁部材を仮係止位置に装着した状態の縦断面図
【図１０】その横断面図
【図１１】雄側端子金具の挿入動作を示す縦断面図
【図１２】雄側端子金具の逆挿入が検知された状態の縦断面図
【図１３】雄側端子金具が一次係止された状態の一部切欠正面図
【図１４】前壁部材を本係止位置に装着した状態の縦断面図
【図１５】  雄側端子金具の半挿入が検知された状態の縦断面図
【図１６】ランスによる一次係止を解除する動作を示す縦断面図
【符号の説明】
１０…雄側端子金具
１５…被係止部
１５Ａ…（被係止部の）角部
２０…コネクタハウジング
２１…ハウジング本体
２２…タワー部
２５…キャビティ
３０…ランス
３１…撓み空間
３３…解除突条
３５…補強リブ
３６…間隙
４０…前壁部材
４５…側壁部
４６…隔壁部（側壁部）
４８…リテーナ部
４９…規制突条
５０…治具挿通溝
Ｊ…治具
【図１】
0003855748.tif 000002
【図２】
0003855748.tif 000003
【図３】
0003855748.tif 000004
【図４】
0003855748.tif 000005
【図５】
0003855748.tif 000006
【図６】
0003855748.tif 000007
【図７】
0003855748.tif 000008
【図８】
0003855748.tif 000009
【図９】
0003855748.tif 000010
【図１０】
0003855748.tif 000011
【図１１】
0003855748.tif 000012
【図１２】
0003855748.tif 000013
【図１３】
0003855748.tif 000014
【図１４】
0003855748.tif 000015
【図１５】
0003855748.tif 000016
【図１６】
0003855748.tif 000017